(57)【特許請求の範囲】
【請求項１】
正極及び負極の電極端子を有する単電池を複数個並べてなる単電池群に取り付けられる電池配線モジュールであって、
前記電極端子に接続される複数の接続部材、および前記接続部材を保持する保持部を有する複数の絶縁樹脂製の保持ユニットを備え、
複数の前記保持ユニットは、端部に配される第１保持ユニットと、前記第１保持ユニット以外の第２保持ユニットとからなり、
前記第２保持ユニットの保持部には、前記接続部材の周縁に、前記電池の並び方向の一方に向けて開放する開放端を備えて残りの三方を包囲する壁部が設けられ、前記開放端が前記接続部材を前記単電池の並び方向に沿って挿入する接続部材挿入部とされる一方、
前記第１保持ユニットの保持部には、前記接続部材の全周縁を包囲する包囲壁が設けられ、前記接続部材を前記第１保持ユニットの前記単電池群への組み付け方向に挿入可能とされて、
前記第２保持ユニットの前記開放端は、前記接続部材挿入部側の端部に前記第１保持ユニットが連結された状態において、前記第１保持ユニットの前記包囲壁の一部で閉塞されることを特徴とする電池配線モジュール。
【請求項２】
前記接続部材は、前記第１保持ユニットの保持部に挿入可能で、かつ、前記第２保持ユニットの前記接続部材挿入部から挿入可能であることを特徴とする請求項１に記載の電池配線モジュール。
【請求項３】
前記第１保持ユニットの前記包囲壁には、前記第１保持ユニットの保持部に対して前記接続部材を抜け止めする抜け止め部が設けられ、
前記第１保持ユニットの前記包囲壁の外側には、前記抜け止め部と対応して、前記接続部材の絶縁状態を保持する絶縁保持部が形成されていることを特徴とする請求項１または請求項２に記載の電池配線モジュール。
【請求項４】
前記第１保持ユニットの保持部には、前記接続部材とともに、電圧検知端子が収容可能とされ、
前記第１保持ユニットの前記包囲壁の内壁側には、前記電圧検知端子を係止することにより前記接続部材を抜け止めする端子係止部が突設または凹設されていることを特徴とする請求項１ないし請求項３のいずれか一項に記載の電池配線モジュール。
【発明の詳細な説明】
【技術分野】
【０００１】
本発明は、電池配線モジュールに関する。
【背景技術】
【０００２】
電気自動車やハイブリッド車用の電池モジュールにおいては、正極および負極の電極端子を有する複数の単電池が並んで配置されている。このような電池モジュールにおいては、正極の電極端子（正極端子）と負極の電極端子（負極端子）とがバスバー等の接続部材で接続されることにより複数の単電池が電気的に接続されるようになっている。
【０００３】
複数の単電池を電気的に接続するために、例えば、特許文献１に記載されているような電池配線モジュールが用いられる。
【先行技術文献】
【特許文献】
【０００４】
【特許文献１】特開２０１１−８９５５号公報
【発明の概要】
【発明が解決しようとする課題】
【０００５】
上記特許文献１に記載されている電池配線モジュールでは、バスバーを保持する保持部を有する樹脂製の保持ユニットを複数連結し、各保持ユニットの保持部に上方からバスバーを収容した後に、単電池の電極端子が形成されている端子形成面に保持ユニットを配置して各バスバーと電極端子とが接続されるようになっている。
【０００６】
この電池配線モジュールの保持ユニットの保持部においては、バスバーを抜け止めするための係止突部が設けられている（特許文献１の図３を参照）。この係止突部は、保持部の上下方向に形成された２本のスリットの間に形成された弾性片の端部に形成されている。このように、バスバー等の接続部材が、保持部から露出した状態で保持されていると、電池周辺に配される導電性材料からなる部材等との接触により短絡が発生することが懸念される。
【０００７】
本発明は上記のような事情に基づいて完成されたものであって、接続部材と単電池周辺に配される部材との接触による短絡を防止した電池配線モジュールを提供することを目的とする。
【課題を解決するための手段】
【０００８】
接続部材を組み付け方向（例えば上方）から保持部に挿入するタイプの保持ユニットでは、接続部材を抜けとめするための構造を、上記特許文献１に記載されているように、上方からの接続部材の挿入を妨げない構造（例えば、一対のスリットとスリット間に設けられた弾性変形可能な弾性片とを備える構造）とする必要がある。しかし、接続部材が単電池群の並び方向（横方向）に沿って挿入されるタイプの保持ユニットでは、接続部材を抜け止めするための構造を弾性変形可能な構造とする必要がないので、スリットなどを設けずに、保持部の内壁から内側方向に突出して設けた突部により接続部材を抜け止めすることが可能である。
【０００９】
そこで、接続部材を単電池群の並び方向に挿入可能な接続部材挿入部を設けた保持部を有する保持ユニットを複数用いた電池配線モジュールについて検討した。
【００１０】
しかしながら、単電池群の並び方向に接続部材を挿入可能な接続部材挿入部を設けた保持部を有する保持ユニットが端部に配置され、接続部材挿入部が最も外側に配置されると、接続部材挿入部から露出した接続部材と、周辺に配される部材等との接触による短絡の発生が懸念される。そこで、さらなる検討を行った結果、本発明に到達した。
【００１１】
すなわち本発明は、正極及び負極の電極端子を有する単電池を複数個並べてなる単電池群に取り付けられる電池配線モジュールであって、前記電極端子に接続される複数の接続部材、および前記接続部材を保持する保持部を有する複数の絶縁樹脂製の保持ユニットを備え、複数の前記保持ユニットは、端部に配される第１保持ユニットと、前記第１保持ユニット以外の第２保持ユニットとからなり、前記第２保持ユニットの保持部には、前記接続部材の周縁に、前記電池の並び方向の一方に向けて開放する開放端を備えて残りの三方を包囲する壁部が設けられ、前記開放端が前記接続部材を前記単電池の並び方向に沿って挿入する接続部材挿入部とされる一方、前記第１保持ユニットの保持部には、前記接続部材の全周縁を包囲する包囲壁が設けられ、前記接続部材を前記第１保持ユニットの前記単電池群への組み付け方向に挿入可能とされて、前記第２保持ユニットの前記開放端は、前記接続部材挿入部側の端部に前記第１保持ユニットが連結された状態において、前記第１保持ユニットの前記方囲壁の一部で閉塞される電池配線モジュールである。
【００１２】
本発明においては、第２保持ユニットの接続部材挿入部から接続部材が露出していたとしても、端部には、接続部材の全周縁を包囲する包囲壁が設けられた保持部を有する第１保持ユニットが配置される。したがって、本発明によれば、保持ユニットから接続部材が露出しないので、接続部材と単電池周辺に配される部材との接触による短絡を防止することができる。
【００１３】
ところで、接続部材を保持ユニットの組み付け方向から挿入するタイプの保持ユニットにおいては、単電池群への組み付け作業の際に、保持ユニットと、単電池群を構成する単電池の電極端子が形成されている面あるいは電極端子との衝突により接続部材が突き上げられて保持ユニットから脱落してしまうことがあり、単電池群への組み付け作業の効率が低下することがあった。
【００１４】
しかしながら、本発明によれば、端部に配される第１保持ユニット以外は、接続部材を単電池の並び方向に沿って挿入する接続部材挿入部が設けられた保持部を有する第２保持ユニットであるから、上述したような接続部材の脱落が起こりにくいので、単電池群への組み付け作業の効率が向上する。
【００１５】
本発明は以下の構成としてもよい。
前記接続部材は、前記第１保持ユニットの保持部に挿入可能で、かつ、前記第２保持ユニットの前記接続部材挿入部から挿入可能であってもよい。
このような構成とすると、２種の保持ユニットを用いるにもかかわらず、１種類の形状の接続部材を用意すればよいので歩留まりがよい。
【００１６】
前記第１保持ユニットの前記包囲壁には、前記第１保持ユニットの保持部に対して前記接続部材を抜け止めする抜け止め部が設けられ、前記第１保持ユニットの前記包囲壁の外側には、前記抜け止め部と対応して、前記接続部材の絶縁状態を保持する絶縁保持部が形成されていてもよい。
【００１７】
このような構成とすると、保持ユニットの組み付け方向から挿入される接続部材を抜け止めする抜け止め部を設けるために第１保持ユニットの包囲壁にスリットや切り欠け部分等を形成したとしても、接続部材の絶縁状態が保持されるので、抜け止めを図りつつも、接続部材と単電池周辺に配される部材との接触による短絡を防止することができる。
【００１８】
前記第１保持ユニットの保持部には、前記接続部材とともに、電圧検知端子が収容可能とされ、前記第１保持ユニットの前記包囲壁の内壁側には、前記電圧検知端子を係止することにより前記接続部材を抜け止めする端子係止部が突設または凹設されていてもよい。
【００１９】
このような構成とすると電圧検知端子を第１保持ユニットの包囲壁に形成した端子係止部に係止することで接続部材が第１保持ユニットに対して抜け止めされるので、一部材に二つの機能を備えることができる。また、端子係止部は包囲壁の内壁側に突設または凹設されているので、包囲壁から接続部材および電圧検知端子が露出しないので絶縁性も保持される。
【発明の効果】
【００２０】
本発明によれば、接続部材と電池周辺に配される部材との接触による短絡を防止した電池配線モジュールを提供することができる。
【図面の簡単な説明】
【００２１】
【図１】実施形態１の電池モジュールの平面図
【図２】第２保持ユニットの斜視図
【図３】第２保持ユニットの平面図
【図４】第２保持ユニットの係止部を示す要部拡大斜視図
【図５】第１保持ユニットの斜視図
【図６】第１保持ユニットの平面図
【図７】第１保持ユニットの側面図
【図８】接続部材を挿入する前の第１保持ユニットの平面図
【図９】図６のＡ−Ａ線における断面図
【図１０】図６のＢ−Ｂ線における断面図
【発明を実施するための形態】
【００２２】
＜実施形態１＞
本発明の実施形態１を図１ないし図１０を参照しつつ説明する。本実施形態に係る電池配線モジュール２０は、正極及び負極の電極端子１２を有する複数個の単電池１１を並べてなる単電池群１０に取り付けられるものである。なお、図１においては単電池群１０の一部（単電池７つ分）を示している。以下、正極の電極端子１２を正極端子１２Ａ、負極の電極端子１２を負極端子１２Ｂといい両者を総括するときは電極端子１２という。
【００２３】
本実施形態の電池配線モジュール２０を単電池群１０に取り付けてなる電池モジュールＭは、例えば、電気自動車又はハイブリッド自動車等の、車両（図示せず）の駆動源として使用される。単電池群１０を構成する複数個の単電池１１は、電池配線モジュール２０によって、異なる単電池１１の正極端子１２Ａと負極端子１２Ｂとを電気的に接続することにより、直列に接続されている。以下の説明において図４、図７、図９および図１０における上方を上とし下方を下とする。
【００２４】
（単電池１１）
単電池１１は、扁平な直方体形状をなしている。単電池１１の上面１１Ａには、図１に示すように、正極端子１２Ａ及び負極端子１２Ｂが形成されている。電極端子１２は、金属板材からなる台座（図示せず）と、台座から上方に向かって丸棒状に突出する電極ポスト１３Ｂとを備える。電極ポスト１３Ｂの表面には、図示しないねじ山が形成されている。
【００２５】
複数個の単電池１１は、隣り合う単電池１１の電極端子１２の極性が異なるように（正極端子１２Ａと負極端子１２Ｂとが交互に配されるように）並べられている。電極ポスト１３Ｂはバスバー２１（接続部材の一例）の貫通孔２３に挿通され、図示しないネジ部材の螺合によりバスバー２１に固定されるようになっている。また、これら複数個の単電池１１は、単電池群１０を構成するように図示しない保持具によって固定されている。
【００２６】
（電池配線モジュール２０）
電池用配線モジュール２０は、単電池群１０の図１に示す左右方向に並ぶ二列の電極端子１２の列に取り付けられる。電池配線モジュール２０は、単電池１１の正極端子１２Ａ及び負極端子１２Ｂの電極ポスト１３Ｂにそれぞれ挿通されて接続される一対の貫通孔２３（接続部）を有する複数のバスバー２１と、バスバー２１に接続され単電池１１の電圧を検知する複数の電圧検知端子２５と、バスバー２１を保持する保持部３２を有する絶縁樹脂製の複数の保持ユニット３１と、を備える。
【００２７】
（保持ユニット３１）
複数の保持ユニット３１は、図１に示すように、単電池１１の並び方向に沿って並べられ、連結されている。保持ユニット３１の連結構造の詳細については後述する。
【００２８】
本実施形態において保持ユニット３１は、図１に示すように、端部に配されている第１保持ユニット３１Ａと、第１保持ユニット３１Ａ以外の第２保持ユニット３１Ｂとからなる。図１の右端部に配されている保持ユニット３１が第１保持ユニット３１Ａであり、図１に示すその他の保持ユニット３１は第２保持ユニット３１Ｂである。以下、第２保持ユニット３１Ｂ、第１保持ユニット３１Ａの順に説明する。
【００２９】
（第２保持ユニット３１Ｂ）
第２保持ユニット３１Ｂは、図２および図３に示すように、バスバー２１および電圧検知端子２５を収容し保持する保持部３２と、電圧検知端子２５に接続された検知電線Ｗを導出する導出溝４５と、導出溝４５から導出された電圧検知端子２５の検知電線Ｗを収容する電線収容部５０と、保持部３２を覆う第１蓋部４１と、電線収容部５０を覆う第２蓋部５５と、を備えている。これらの部材は一体的に形成されている。以下、第２保持ユニット３１Ｂの各部材について説明する。
【００３０】
（第２保持ユニット３１Ｂの保持部３２）
第２保持ユニット３１Ｂの保持部３２は、図３に示すように、上方に開口すると共に、バスバー２１を収容可能に図２における左側方以外の三つの側方を保持する壁部３３（３３Ａ，３３Ｂ，３３Ｃ）と、バスバー２１が載置される底壁３３Ｄを備える。
【００３１】
底壁３３Ｄは、図２に示すように、保持部３２の略中央部分、図示左端部および図示右端部に部分的に設けられており、バスバー２１の一部を載置しつつ、バスバー２１と電極端子１２との電気的な接続を妨げないように設けられている。
【００３２】
壁部３３の高さ寸法は、詳細は図示しないが、電池配線モジュール２０が単電池群１０に接続された状態において、電極端子１２の上端部よりも高く設定されている。これにより、工具等が正極端子１２Ａおよび負極端子１２Ｂに接触して、正極端子１２Ａと負極端子１２Ｂとが工具等を介して短絡することを抑制できるようになっている。
【００３３】
壁部３３は、バスバー２１の長手方向の一対の側縁のうち図２における奥側に配される側縁に沿って配される後壁３３Ａと、バスバー２１の長手方向の一対の側縁のうち、図２における手前側に配される側縁に沿って配される前壁３３Ｂと、バスバー２１の短辺方向の一対の側縁のうち図２における右側に配される側縁に沿って配される右側壁３３Ｃとからなる。前壁３３Ｂの長手方向における略中央部には、前壁３３Ｂを２つにわける開口部３３３が導出溝４５に貫通して設けられている。開口部３３３により２つに分けられた前壁３３Ｂのうち、図２における右側の前壁３３Ｂを右前壁３３１、図２における左側の前壁３３Ｂを左前壁３３２とする。
【００３４】
さて、本実施形態では、保持部３２において、バスバー２１の短辺方向の一対の側縁のうち図２における左側に配される側縁（左側縁２１Ａ）の配される部分は、壁部３３が形成されていない開放端３４となっている（図３を参照）。この開放端３４からは、バスバー２１を単電池１１の並び方向（図２の左右方向）に挿入可能となっており、バスバー挿入部３４（接続部材挿入部の一例）として機能する。
【００３５】
保持部３２の右側壁３３Ｃは、隣接する第２保持ユニット３１Ｂに保持されるバスバー２１との絶縁状態を保持する絶縁壁３３Ｃとして機能する。
【００３６】
前壁３３Ｂおよび後壁３３Ａの内壁には、それぞれ、図２および図３に示すように、挿入されたバスバー２１上下方向への移動を規制して抜け止めする複数の抜け止め部３５が内側方向に突出形成されている。
【００３７】
後壁３３Ａの中央よりも開放端３４側（図２における左側）の領域には、図２に示すように、保持部３２の開放端３４（バスバー挿入部）から保持部３２内に挿入されたバスバー２１を、挿入方向における前方（絶縁壁３３Ｃ側）に案内するガイド部３６が突出形成されている。
【００３８】
後壁３３Ａの中央よりも右側壁３３Ｃ側（図２における右側）の領域には、電圧検知端子２５の上方への移動およびバスバー２１挿入方向における前方（図示右方向）への移動を規制する端子係止片３７が突出形成されている。端子係止片３７はバスバー２１挿入方向に沿って突設され、その下側にバスバー２１と電圧検知端子２５が配置可能とされる。端子係止片３７のバスバー２１挿入方向における前端には係止突部３８が設けられ、この係止突部３８により電圧検知端子２５の第２突片２８Ｂ（詳細は後述）が係止されるようになっている。
【００３９】
また、本実施形態において、保持部３２の後壁３３Ａには、図６に示すように、スリット等のバスバー２１が保持部３２の外側に露出する部分は形成されていない。したがって、単電池の並び方向に沿って配される後壁３３Ａは、バスバー２１を保持部３２から露出しない状態で保持可能とされ、工具等や周囲の金属部材等との接触による短絡を防止できるようになっている。
【００４０】
保持部３２の右前壁３３１には、図４に示すように、２本のスリット３９Ｂが下端部から上方に伸びて形成され、その間に弾性係合片３９Ａが形成されている。この弾性係合片３９Ａには、電圧検知端子２５を係止する端子係止爪３９Ｃと、バスバー２１を係止するバスバー係止爪３９Ｄとが、上下に並んで設けられている。バスバー係止爪３９Ｄは端子係止爪３９Ｃよりも、バスバー２１挿入方向における後方（図４では右側）にずれて設けられているが、端子係止爪３９Ｃとバスバー係止爪３９Ｄとは、一部が互いに重なるように設けられている。
【００４１】
端子係止爪３９Ｃは、上方から挿入された電圧検知端子２５の第１突片２８Ａ（詳細は後述）が当接することにより、壁部３３の外側方向に弾性変形するが、電圧検知端子２５が端子係止爪３９Ｃの下端部よりも下側に配されると弾性復帰し、これにより電圧検知端子２５の上方への移動が規制されるようになっている。
【００４２】
バスバー係止爪３９Ｄは、開放端３４から挿入されたバスバー２１の張出部２２Ａが通過するときには壁部３３の外側方向に弾性変形するが、バスバー２１の凹み部２４が配されると、この凹み部２４内に受け入れられ弾性復帰し、これにより、バスバー２１がバスバー係止爪３９Ｄにより係止される。本実施形態においては、バスバー２１の凹み部２４の直上に配置される電圧検知端子２５の凹部２９もバスバー係止爪３９Ｄにより係止されるようになっている。
【００４３】
（第１蓋部４１）
保持部３２には、図１、図２および図３に示すように、後壁３３Ａの上端から連なるヒンジ４０を介して第１蓋部４１が一体に設けられている。第１蓋部４１は、ヒンジ４０を軸中心として回動可能とされ、第１蓋部４１を閉じたときに、保持部３２全体及び導出溝４５の一部が覆われるようになっている。
【００４４】
第１蓋部４１のうち、閉蓋時に下側に配される面からは、図２および図３に示すように、一対の第１係止片４２が突設されている。第１係止片４２は、導出溝４５の幅方向両側に設けた第２係止溝４７（後述する）と隣り合う位置に形成された第１係止溝４６に係止されるようになっている。一対の第１係止片４２と隣接する位置には、詳細は後述するが、隣接する保持ユニット３１の第１蓋部４１を連結する蓋部連結係合片４３および蓋部連結被係合部４４がそれぞれ設けられている。
【００４５】
（導出溝４５）
導出溝４５は、保持部３２から導出された電圧検知端子２５のバレル部２６Ｂと、バレル部２６Ｂに圧着された検知電線Ｗが配される部材であり、保持部３２と電線収容部５０とを連通する溝状の部材である。導出溝４５は凹状をなしており、単電池１１の並び方向と略垂直な方向に設けられている。詳しくは、導出溝４５は、保持部３２の前壁３３Ｂの開口部３３３を貫通して保持部３２と連通するとともに、電線収容部５０の後側溝壁部５２Ａ（詳細は後述）の開口部５２Ｃを貫通して電線収容部５０に連通するように設けられている。
【００４６】
（電線収容部５０）
電線収容部５０は、単電池１１の並び方向に延びる一対の溝壁部５２および一対の溝壁部５２をつなぐ底壁部５３によって断面凹状に構成されている。保持ユニット３１同士を連結することで、電線収容部５０が連結され、単電池１１の並び方向に連通する１本の溝（電線収容溝５１）が形成される。
【００４７】
各保持ユニット３１の導出溝４５から導出された各検知電線Ｗは、略直角に屈曲されて、電線収容部５０の延設方向に沿って収容されるようなっている。電線収容部５０に収容された複数の検知電線Ｗは、図示しない監視ＥＣＵ側へ導出される。
【００４８】
ここで、監視ＥＣＵは、マイクロコンピュータ、素子等が搭載されたものであって、単電池１１の電圧・電流・温度等を検出して、各単電池１１の監視制御等を行うための機能を備えた周知の構成のものである。
【００４９】
一対の溝壁部５２のうち導出溝４５側の溝壁部を後側溝壁部５２Ａとし、もう一方の溝壁部を前側溝壁部５２Ｂとする。後側溝壁部５２Ａは保持部３２の前壁３３Ｂと対応して設けられており、弾性片３９Ａの両側に形成したスリット３９Ｂや弾性片３９Ａの下端と底壁３３Ｄの間のスリット状の切り欠け部分からバスバー２１や電圧検知端子２５が露出したとしても、周辺に配される導電性の部材等と接触しないようになっている。
【００５０】
後側溝壁部５２Ａには後壁溝壁部を２つにわける開口部５２Ｃが設けられており、当該開口部５２Ｃには導出溝４５が貫通している。前側溝壁部５２Ｂにはヒンジ５４を介して電線収容部５０を覆う第２蓋部５５が連設されている。
【００５１】
（第２蓋部５５）
電線収容部５０には、図２および図３に示すように、前側溝壁部５２Ｂの側面から連なるヒンジ５４を介して第２蓋部５５が一体に設けられている。第２蓋部５５は、ヒンジ５４を軸中心として回動可能とされ、第２蓋部５５を閉じたときに、電線収容部５０全体が覆われるようになっている（図１参照）。第２蓋部５５の側縁には、閉蓋時に導出溝４５をその上方から覆うとともに、第２蓋部５５を係止する一対の第２係止片５７が設けられた延出蓋部５６が延設されている。第２係止片５７は延出蓋部５６の幅方向における両側縁から突設されている。第２係止片５７は、導出溝４５の幅方向両側に設けた第２係止溝４７により係止されるようになっている。
【００５２】
本実施形態では、第２蓋部５５を閉じたのちに第１蓋部４１を閉じると、第２蓋部５５の延出蓋部５６の一部と第１蓋部４１の一部が重なり合って、導出溝４５は第２蓋部５５の延出蓋部５６と第１蓋部４１とで二重に蓋をされた状態となる。これにより、保持ユニット３１の上部全域を、蓋部４１，５５により覆った状態に維持することができる。
【００５３】
（第２保持ユニット３１Ｂの連結構造）
次に、隣り合う保持ユニット３１同士を連結するための連結構造について説明する。第２保持ユニット３１Ｂの一対の第１係止溝４６と隣接する位置には、図２及び図３に示すように、隣り合う保持ユニット３１同士を連結する連結係合爪４８と、連結係合爪４８と係合可能な連結係合凹部４９が設けられている。図示右側の第１係止溝４６の右側に連結係合爪４８が設けられ、図示左側の第１係止溝４６の左側に連結係合凹部４９が設けられている。
【００５４】
隣り合う保持ユニット３１のうち、一方の保持ユニット３１の連結係合爪４８の形成された一対の弾性片４８Ａを、他方の保持ユニット３１の連結係合凹部４９に挿入すると、一対の弾性片４８Ａが近づく方向に弾性変形しながら挿入され、連結係合凹部４９内の所定位置まで挿入されると弾性片４８Ａが弾性復帰することで係合されるようになっている。
【００５５】
また、第２保持ユニット３１Ｂの第１蓋部４１の一対の第１係止片４２の両側には、図２および図３に示すように、隣り合う保持ユニット３１の第１蓋部４１同士を連結する蓋部連結部４３，４４が設けられている。第１蓋部４１の図４における右端部には、蓋部連結係合片４３が形成されており、第１蓋部４１の図４における左端部には蓋部連結被係合部４４が設けられている。
【００５６】
蓋部連結係合片４３の端部には、相手方となる蓋部連結被係合部４４，６８の連結係合孔４４Ｂ，６８Ｂに係合される連結係合突部４３Ａが形成されている。蓋部連結被係合部４４は、蓋部連結係合片４３，９１を挿通可能に、保持ユニット３１の連結方向に貫通する係合片挿通部４４Ａと、係合片挿通部４４Ａに隣接して設けられ蓋部連結係合片４３，９１の連結係合突部４３Ａを受け入れて係合可能な連結係合孔４４Ｂと、を備える。蓋部連結被係合部４４の係合片挿通部４４Ａに蓋部連結係合片４３を挿通させて、連結係合突部４３Ａを連結係合孔４４Ｂに係合させることで、互いに隣り合う第１蓋部４１同士を連結することができる。
【００５７】
（バスバー２１）
第２保持ユニット３１Ｂの保持部３２に保持されるバスバー２１は、銅、銅合金、ステンレス鋼、アルミニウム等の金属からなる板材を所定形状にプレス加工してなる。バスバー２１の表面には、スズ、ニッケル等に金属がメッキされていてもよい。バスバー２１の長手方向（図３および図４における左右方向）の寸法は、隣り合う単電池１１の電極端子１２Ａ，１２Ｂ間の寸法に応じて設定される。
【００５８】
バスバー２１には、図２に示すように、所定の間隔を空けて一対の貫通孔２３が形成されている。一対の貫通孔２３内には、単電池１１の電極端子１２の電極ポスト１３Ｂがそれぞれ挿通される。本実施形態における貫通孔２３は、単電池１１の並び方向（図１における左右方向）を長手方向とする長円状をなしている。本実施形態においては、長円状の貫通孔２３により、単電池１１の製造公差や組み付け公差に起因する隣り合う電極端子１２Ａ，１２Ｂ間のピッチのずれを吸収可能となっている。
【００５９】
また、バスバー２１は、図３に示すように、長方形状の平板の４つの角部を面取りした形状をなしており、各保持ユニット３１の保持部３２内に円滑に挿入できるようになっている。
【００６０】
バスバー２１の長手方向の一対の端面には、その両端部に図２に示すように、バスバー２１の幅方向（短辺の方向）に張り出す上面視台形状の張出部２２が形成されている。バスバー２１の長手方向の一対の端面には台形状の張出部２２と隣接して凹み部２４が形成されている。
【００６１】
バスバー２１に形成された図２における手前側の２つの張出部２２のうち、右側の張出部２２Ａは、隣接する凹み部２４に受け入れられた保持部３２のバスバー係止爪３９Ｄにより係止されるようになっている。
【００６２】
（電圧検知端子２５）
第２保持ユニット３１Ｂの保持部３２において、バスバー２１の上に重ね合わされる電圧検知端子２５は、図３に示すように、平板状の本体部２６Ａと、本体部２６Ａから連なり検知電線Ｗが圧着されるバレル部２６Ｂを備える。本体部２６Ａの中心部には、バスバー２１の一対の貫通孔２３のいずれか一方と重なるように配されて、バスバー２１の一方の貫通孔２３に挿通される電極端子１２の電極ポスト１３Ｂを挿通可能な挿通孔２７が貫通して形成されている。挿通孔２７は、バスバー２１の貫通孔２３よりもわずかに大きく形成されている。
【００６３】
電圧検知端子２５のバレル部２６Ｂが形成されている端縁と、この端縁と対向する端縁には、それぞれ外側方向に張り出す突片２８が形成されている。バレル部２６Ｂ側の端縁に形成された２つの突片２８のうち図２における右側の突片２８Ａ（第１突片２８Ａ）は、保持部３２の端子係止爪３９Ｃにより係止され、これにより電圧検知端子２５の上方への移動が規制されるようになっている。バレル部２６Ｂ側の端縁に形成された２つの突片２８の間には、切り欠きにより凹部２９が形成されており、この電圧検知端子２５の凹部２９は、対応するバスバー２１の凹み部２４の一部と重なり合うように配され、バスバー係止爪３９Ｄを受け入れ可能とされる。
【００６４】
バレル部２６Ｂ側の端縁と対向する端縁に形成された突片２８（第２突片２８Ｂ）は、保持部３２の端子係止片３７により係止され、これにより電圧検知端子２５の上下方向の移動が規制される。
【００６５】
電圧検知端子２５は、銅、銅合金、ステンレス鋼、アルミニウム等の金属板材を所定の形状にプレス加工してなる。電圧検知端子２５の表面は、スズ、ニッケル等の金属によってメッキされていてもよい。
【００６６】
電圧検知端子２５に接続された検知電線Ｗは、保持ユニット３１の電線収容部５０に収容されて、図１の右方に設けられた監視ＥＣＵに接続される。
【００６７】
（第１保持ユニット３１Ａ）
次に第１保持ユニット３１Ａについて説明する。第１保持ユニット３１Ａは、図１、図５および図６に示すように、バスバー２１および電圧検知端子２５を収容し保持する保持部６０，８３、電圧検知端子２５に接続された検知電線Ｗを導出する導出溝７２，９２、および導出溝７２，９２から導出された電圧検知端子２５の検知電線Ｗを収容する電線収容部７６，９５を、それぞれ２つずつ備えている。第１保持ユニット３１Ａにおいて、２つの電線収容部７６，９５は第１保持ユニット３１Ａの略中央に形成された連結部９８により連なっており、２つの保持部６０，８３は、それぞれ蓋部６６，６９，８９により覆われるようになっている。そして、これらの部材は一体的に形成されている。
【００６８】
以下、第１保持ユニット３１Ａの各部材について説明する。第１保持ユニット３１Ａの２つの保持部６０，８３のうち、図１において奥側に示されている保持部６０を第１保持部６０とし、図１において手前側に示されている保持部８３を第２保持部８３とする。
【００６９】
（第１保持ユニット３１Ａの第１保持部６０）
第１保持部６０には電極端子１２と外部機器（図示せず）とを接続するための外部接続バスバー８０が収容されている。この第１保持部６０の左側には、隣接する第２保持ユニット３１Ｂの保持部３２の右側壁８４Ｄが配されることで、当該第２保持ユニット３１Ｂに保持されているバスバー２１と第１保持部６０の外部接続バスバー８０とは非接触状態に保持されている。
【００７０】
第１保持部６０は、図５に示すように、上方に開口すると共に、外部接続バスバー８０を保持可能に形成された図６における手前側の壁（前壁６１Ａ）および図６における奥側の壁（後壁６１Ｂ）と、外部接続バスバー８０が載置される底壁６１Ｃを備える。
【００７１】
底壁６１Ｃは、図８に示すように、第１保持部６０の右側部分、図示左端部に部分的に設けられている。前壁６１Ａおよび後壁６１Ｂの高さ寸法は、電池配線モジュール２０が単電池群１０に接続された状態において、電極端子１２の上端部よりも高く設定されており、電極端子１２と工具等との接触による短絡を防止している。
【００７２】
前壁６１Ａの長手方向における略中央部には、前壁６１Ａを２つにわける開口部６１３が第１導出溝７２に貫通して設けられている。開口部６１３より２つに分けられた前壁６１Ａのうち、図６における右側の前壁６１Ａを右前壁６１１、図６における左側の前壁６１Ａを左前壁６１２とする。
【００７３】
後壁６１Ｂの図６における左側の端部においては、上面視三角形状の第１抜け止め突部６２が後壁６１Ｂの内壁面から突設されている。この第１抜け止め突部６２の側面には、２本のスリット６２Ａと、２本のスリット６２Ａの間に形成され外部接続バスバー８０の上方への移動を規制する弾性片６２Ｂとが形成されている。この弾性片６２Ｂは、第１保持部６０の上方から挿入された外部接続バスバー８０の端部に当接すると第１抜け止め突部６２内に弾性変形し、外部接続バスバー８０が底壁６１Ｃに載置されると弾性復帰して外部接続バスバー８０の上下方向の移動を規制し抜け止めする。
【００７４】
後壁６１Ｂの第１抜け止め突部６２と隣り合う位置には後壁６１Ｂの内壁面から突設され電圧検知端子の第２突片を受け入れて係止する端子係止部６３が設けられている。第１抜け止め突部６２および端子係止部６３は後壁６１Ｂの内壁から突設されており、後壁６１Ｂから外部接続バスバー８０は露出しないようになっているので、工具等や周囲の金属部材等との接触による短絡を防止できるようになっている。
【００７５】
左前壁６１２には、２本のスリット（図示せず）が下端部から上方に伸びて形成され、その間に外部接続バスバー８０を抜け止めする第１抜け止め片６４が形成されている。この第１抜け止め片６４は、第１保持部６０の上方から挿入された外部接続バスバー８０の端部に当接すると前壁６１Ａの外側方向に弾性変形し、外部接続バスバー８０が底壁６１Ｃに載置されると弾性復帰して外部接続バスバー８０の上下方向の移動を規制し抜け止めする。
【００７６】
第１保持部６０には、図５および図６に示すように、後壁６１Ｂの上端から連なるヒンジ６５を介して２つの蓋部６６，６９がそれぞれ設けられている。２つの蓋部は６６，６９それぞれヒンジ６５を軸中心として回動可能とされる。
【００７７】
図６における左側に設けられている左蓋部６６を閉じると第１保持部６０の左側半分の領域と、第１導出溝７２と、第１電線収容部７６の一部が覆われるようになっている。
【００７８】
左蓋部６６のうち、閉蓋時に下側に配される面からは、図５および図６に示すように、一対の左蓋係止片６７が突設されている。左蓋係止片６７は、第１導出溝７２の幅方向両側に設けた第３係止溝７３（後述する）に係止されるようになっている。
【００７９】
一対の左蓋係止片６７と隣接する位置には、隣接する第２保持ユニット３１Ｂの第１蓋部４１に形成された蓋部連結係合片４３を受け入れて係合可能な蓋部連結被係合部６８が設けられている。蓋部連結被係合部６８は第２保持ユニット３１Ｂの第１蓋部４１に形成されている蓋部連結被係合部４４と同様の構成であり、隣接する第２保持ユニット３１Ｂの第１蓋部４１に形成した蓋部連結係合片４３を挿通可能に、保持ユニット３１の連結方向に貫通する係合片挿通部６８Ａと、係合片挿通部６８Ａに隣接して設けられ蓋部連結係合片４３の連結係合突部４３Ａを受け入れて係合可能な連結係合孔６８Ｂと、を備える。
【００８０】
図６における右側に設けられている右蓋部６９の略中央には第１保持部６０に保持されている外部接続バスバー８０の外部端子接続孔８１Ａに挿通されるボルト状の外部接続端子８２が挿通可能な接続端子挿通孔７１が形成されている。右蓋部６９のうち、閉蓋時に下側に配される面からは、図５および図６に示すように、右蓋係止片７０が突設されている。右蓋係止片７０は、第３係止溝７３の隣に設けた第４係止溝７４（後述する）に係止されるようになっている。右蓋部６９を閉じた状態では第１保持部６０の右半分の領域が覆われるが、接続端子挿通孔７１から外部接続端子８２が突出するようになっている。
【００８１】
（第１導出溝７２）
第１導出溝７２は、第１保持部６０から導出された電圧検知端子２５のバレル部２６Ｂと、バレル部２６Ｂに圧着された検知電線Ｗが配される部材であり、第１保持部６０と第１電線収容部７６とを連通する溝状の部材である。第１導出溝７２は凹状をなしており、単電池１１の並び方向と略垂直な方向に設けられている。詳しくは、第１導出溝７２は、第１保持部６０の前壁６１Ａの開口部６１３を貫通して第１保持部６０と連通するとともに、第１電線収容部７６の後側溝壁部７７Ａの開口部７７Ｃを貫通して第１電線収容部７６に連通するように設けられている。
【００８２】
第１導出溝７２の両側には、図５及び図６に示すように、一対の左蓋係止片６７を受け入れて係止する一対の第３係止溝７３が形成されており、右側の第３係止溝７３と隣接する位置には、右蓋係止片７０を受け入れて係止する第４係止溝７４が形成されている。
【００８３】
また、第１導出溝７２の左側に形成された第３係止溝７３と隣接する位置には、図５及び図６に示すように、隣接する第２保持ユニット３１Ｂの連結係合爪４８と係合可能な連結係合凹部７５が設けられている。隣接する第２保持ユニット３１Ｂの連結係合爪４８の形成されている一対の弾性片４８Ａを、第１保持ユニット３１Ａの連結係合凹部４９に挿入すると、一対の弾性片４８Ａが近づく方向に弾性変形しながら挿入され、連結係合凹部７５内の所定位置まで挿入されると弾性片４８Ａが弾性復帰することで係合されるようになっている。
【００８４】
（第１電線収容部７６）
第１電線収容部７６は、単電池１１の並び方向に延びる一対の溝壁部７７（後側溝壁部７７Ａ、前側溝壁部７７Ｂ）および一対の溝壁部７７をつなぐ底壁部７８によって断面凹状に構成されている。隣接する第２保持ユニット３１Ｂに連結することで、第２保持ユニット３１Ｂの電線収容部５０と第１保持ユニット３１Ａの第１電線収容部７６とが連結され、単電池１１の並び方向に連通する１本の溝（電線収容溝５１）が形成される。
【００８５】
第１導出溝７２から導出された検知電線Ｗは、他の検知電線Ｗとともに、略直角に屈曲されて、第１電線収容部７６に収容されるとともに、監視ＥＣＵ側へ導出される。
【００８６】
第１導出溝７２側の後側溝壁部７７Ａは第１保持部６０の前壁６１Ａと対応して設けられており、第１抜け止め片６４の両側に形成したスリットや第１抜け止め片６４の下端と底壁６１Ｃの間のスリット状の切り欠け部分から外部接続バスバー８０や電圧検知端子２５が露出したとしても、周辺に配される導電性の部材等と接触しないようになっている。
【００８７】
（外部接続バスバー８０）
第１保持ユニット３１Ａの第１保持部６０に保持される外部接続バスバー８０は、図６に示すように、左側に電極端子１２の電極ポスト１３Ｂが挿通される貫通孔８１Ａが形成され、右側に外部機器と接続されるボルト状の外部接続端子８２を挿通可能な外部端子接続孔８１Ｂが突出形成されている。外部接続バスバー８０の貫通孔８１Ａも、バスバー２１の貫通孔２３と同様に、単電池１１の並び方向（図１における左右方向）を長手方向とする長円状をなしており、単電池１１の製造公差や組み付け公差に起因する隣り合う電極端子１２Ａ，１２Ｂ間のピッチのずれを吸収可能となっている。外部接続バスバー８０は、上述した第２保持ユニット３１Ｂの保持部３２に保持されるバスバー２１と同様の材料から構成される。
【００８８】
（電圧検知端子２５）
第１保持ユニット３１Ａの第１保持部６０に保持される電圧検知端子２５は第２保持ユニット３１Ｂに保持されるものと同じ構成のものである。電圧検知端子２５は、第１保持部６０において、第２突片２８Ｂが第１保持部６０の後壁６１Ｂの端子係止部６３に受け入れられて係止されるようになっている。
【００８９】
（第１保持ユニット３１Ａの第２保持部８３）
第２保持部８３（第１保持ユニット３１Ａの保持部の一例）には電極端子１２，１２間を接続するバスバー２１が収容されている。この第２保持部８３の左側には、隣接する第２保持ユニット３１Ｂの開放端３４が配されている。しかしながら、第１保持ユニット３１Ａの第２保持部８３にはバスバー２１の全周縁を包囲する包囲壁８４（包囲壁８４の一例）が設けられているので、第２保持ユニット３１Ｂに保持されているバスバー２１とは非接触状態である。
【００９０】
第２保持部８３は、図５および図６に示すように、上方に開口すると共に、バスバー２１の全周縁を包囲する包囲壁８４（８４Ａ，８４Ｂ，８４Ｃ，８４Ｄ）と、バスバー２１が載置される底壁８４Ｅとを備える。
【００９１】
底壁８４Ｅは、図８に示すように、第２保持部８３の図示左右の端部と中央部分に部分的に設けられており、バスバー２１の一部を載置しつつ、バスバー２１と電極端子１２との電気的な接続を妨げないように設けられている。
【００９２】
包囲壁８４の高さ寸法は、詳細は図示しないが、電池配線モジュール２０が単電池群１０に接続された状態において、電極端子１２の上端部よりも高く設定されている。これにより、工具等が正極端子１２Ａおよび負極端子１２Ｂに接触して、正極端子１２Ａと負極端子１２Ｂとが工具等を介して短絡することを抑制できるようになっている。
【００９３】
包囲壁８４は、バスバー２１の長手方向の一対の側縁のうち図６における奥側に配される側縁に沿って配される後壁８４Ｂと、バスバー２１の長手方向の一対の側縁のうち、図６における手前側に配される側縁に沿って配される前壁８４Ａと、バスバー２１の短辺方向の一対の側縁のうち図６における右側に配される側縁に沿って配される右側壁８４Ｄと、バスバー２１の短辺方向の一対の側縁のうち図６における左側に配される側縁に沿って配される左側壁８４Ｃとからなる。
【００９４】
後壁８４Ｂの長手方向における略中央部には、後壁８４Ｂを２つにわける開口部８４３が第２導出溝９２に貫通して設けられている。開口部８４３により２つに分けられた後壁８４Ｂのうち、図６における右側の後壁８４Ｂを右後壁８４１、図６における左側の後壁８４Ｂを左後壁８４２とする。
【００９５】
前壁８４Ａの図６における右側の端部においては、上面視三角形状の第２抜け止め突部８５が内壁面から第２保持部８３内に突設されている。詳細は図示しないが、第２抜け止め突部８５には、第２保持部８３の上方から挿入されたバスバー２１の端部に当接すると第２抜け止め突部８５内に弾性変形し、バスバー２１が底壁８４Ｅに載置されると弾性復帰してバスバー２１の上下方向の移動を規制し抜け止めする弾性片８５Ｂが形成されている。
【００９６】
前壁８４Ａの中央よりも図６における左側寄りの領域には、前壁８４Ａの内壁面から突設され電圧検知端子２５の第２突片２８Ｂを受け入れて係止する端子係止部８６が設けられている。前壁８４Ａに形成された第２抜け止め突部８５および端子係止部８６は前壁８４Ａの内壁から突設されており、バスバー２１は前壁８４Ａから露出しないようになっているので、工具等や周囲の金属部材等との接触による短絡を防止できるようになっている。
【００９７】
右後壁８４１および左後壁８４２には、図５、図９および図１０に示すように、２本のスリット８７Ａが下端部から上方に伸びて形成されており、２本のスリット８７Ａの間にはバスバー２１を抜け止めする第２抜け止め片８７（抜け止め部の一例）がそれぞれ形成されている。この第２抜け止め片８７は、第２保持部８３の上方から挿入されたバスバー２１の端部に当接すると後壁８４Ｂの外側方向に弾性変形し、バスバー２１が底壁８４Ｅに載置されると弾性復帰してバスバー２１の上下方向の移動を規制し抜け止めする。
【００９８】
第２保持部８３には、図５〜図８に示すように、前壁８４Ａの上端から連なるヒンジ８８を介して第３蓋部８９が設けられている。第３蓋部８９はヒンジ８８を軸中心として回動可能とされる。第３蓋部８９を閉じると第２保持部８３の全領域と、第２導出溝９２と、第２電線収容部９５が覆われるようになっている。
【００９９】
第３蓋部８９のうち、閉蓋時に下側に配される面からは、図５および図７に示すように、一対の第３蓋部係止片９０が突設されている。第３蓋部係止片９０は、第２導出溝９２の幅方向両側に設けた第５係止溝９３（後述する）に係止されるようになっている。
【０１００】
一対の第３蓋部係止片９０と隣接する位置には、隣接する第２保持ユニット３１Ｂの第１蓋部４１に形成された蓋部連結被係合部４４に受け入れられる蓋部連結係合片９１が設けられている。蓋部連結係合片９１は第２保持ユニット３１Ｂ３１Ａの第１蓋部４１に形成されている蓋部連結係合片４３と同様の構成であり、蓋部連結係合片９１の端部には、隣接する第２保持ユニット３１Ｂの第１蓋部４１に形成した蓋部連結被係合部４４の連結係合孔４４Ｂに係合される連結係合突部（図示せず）が形成されている。
【０１０１】
したがって、第３蓋部８９の蓋部連結係合片９１を、隣接する第２保持ユニット３１Ｂの蓋部連結被係合部４４の係合片挿通部４４Ａに挿通させて、連結係合突部を連結係合孔４４Ｂに係合させることで、第３蓋部８９と第２保持ユニット３１Ｂの第１蓋部とを連結することができる。
【０１０２】
（第２導出溝９２）
第２導出溝９２は、第２保持部８３から導出された電圧検知端子２５のバレル部２６Ｂと、バレル部２６Ｂに圧着された検知電線Ｗが配される部材であり、第２保持部８３と第２電線収容部９５とを連通する溝状の部材である。第２導出溝９２は凹状をなしており、単電池１１の並び方向と略垂直な方向に設けられている。詳しくは、第２導出溝９２は、第２保持部８３の後壁８４Ｂの開口部８４３を貫通して第２保持部８３と連通するとともに、第２電線収容部９５の前側溝壁部９６Ｂの開口部９６Ｃを貫通して第２電線収容部９５に連通するように設けられている。
【０１０３】
第２導出溝９２の左側に形成された第５係止溝９３と隣接する位置には、図５及び図６に示すように、隣接する第２保持ユニット３１Ｂの連結係合凹部４９と係合可能な連結係合爪９４が設けられている。連結係合爪９４は第２保持ユニット３１Ｂの連結係合爪４８と同様に、一対の弾性片９４Ａの端部に形成されている。この一対の弾性片９４Ａを、隣接する第２保持ユニット３１Ｂの連結係合凹部４９に挿入すると、一対の弾性片９４Ａが近づく方向に弾性変形しながら挿入され、連結係合凹部４９内の所定位置まで挿入されると弾性片９４Ａが弾性復帰することで係合されるようになっている。
【０１０４】
（第２電線収容部９５）
第２電線収容部９５は、単電池１１の並び方向に延びる一対の溝壁部９６および一対の溝壁部９６をつなぐ底壁部９７によって断面凹状に構成されている。第１保持ユニット３１Ａを隣接する第２保持ユニット３１Ｂに連結することで、第２保持ユニット３１Ｂの電線収容部５０と第１保持ユニット３１Ａの第１電線収容部７６とが連結され、単電池１１の並び方向に連通する１本の溝（電線収容溝５１）が形成される。
【０１０５】
第２導出溝９２から導出された検知電線Ｗは、他の検知電線Ｗとともに、略直角に屈曲されて、第２電線収容部９５に収容されるとともに、監視ＥＣＵ側へ導出される。
【０１０６】
第２導出溝９２側の前側溝壁部９６Ｂは第２保持部８３の後壁８４Ｂと対応して設けられており、第２抜け止め片８７の両側に形成したスリット８７Ａや第２抜け止め片８７の下端と底壁８４Ｅの間のスリット状の切り欠け部分からバスバー２１や電圧検知端子２５が露出したとしても、周辺に配される導電性の部材等と接触しないようになっている（第２電線収容部９５の前側溝壁部９６Ｂは絶縁保持部の一例）。
【０１０７】
（バスバー２１）
第１保持ユニット３１Ａの第２保持部８３に保持されるバスバー２１は、図１および図６に示すように、第２保持ユニット３１Ｂに保持されるバスバー２１と同形同大で、同一の材料から構成されるものである。
【０１０８】
（電圧検知端子２５）
第１保持ユニット３１Ａの第２保持部８３に保持される電圧検知端子２５は、第２保持ユニット３１Ｂに保持されるものおよび第１保持ユニット３１Ａの第１保持部６０に保持されるものと同じ構成のものである。第２保持部８３に保持される電圧検知端子２５の第２突片２８Ｂは、第２保持部８３の前壁８４Ａの端子係止部８６に受け入れられて係止されるようになっている。
【０１０９】
（電池配線モジュール２０の組み付け方法）
次に電池配線モジュール２０の組み付け方法について説明する。
まず、第２保持ユニット３１Ｂにバスバー２１を取り付け、第１保持ユニット３１Ａにバスバー２１および外部接続バスバー８０を取り付ける。
【０１１０】
第２保持ユニット３１Ｂの保持部３２の開放端３４から、バスバー２１を保持部３２内に差し込むと、バスバー２１は、保持部３２の後壁３３Ａに形成されたガイド部３６により、図２における右方向に案内される。バスバー２１の張出部２２Ａと前壁３３Ｂに形成されたバスバー係止爪３９Ｄとが当接すると、バスバー係止爪３９Ｄが壁部３３の外側方向に撓み変形する。
【０１１１】
さらにバスバー２１を前方（図２における右方向）に挿入し、バスバー２１の凹み部２４がバスバー係止爪３９Ｄに至るとバスバー２１の凹み部２４内に、バスバー係止爪３９Ｄが受け入れられて、バスバー係止爪３９Ｄが弾性復帰し、バスバー２１の張出部２２Ａの端面とバスバー係止爪３９Ｄとの当接により、バスバー２１の挿入方向における前後方向への移動が規制される。また、バスバー２１は、壁部３３に設けた抜け止め部３５により、上下方向への移動が規制され抜け止めされる。
【０１１２】
第１保持ユニット３１Ａの第１保持部６０の上方から、外部接続バスバー８０を第１保持部６０内に挿入すると、外部接続バスバー８０が、後壁６１Ｂの第１抜け止め突部６２に形成された弾性片６２Ｂおよび左前壁６１２に形成された第１抜け止め片６４に当接し、弾性片６２Ｂは第１抜け止め突部６２内に撓み変形し、第１抜け止め片６４が第１保持部６０の外側方向に撓み変形する。さらに外部接続バスバー８０を挿入して底壁６１Ｃに載置すると、弾性片６２Ｂおよび第１抜け止め片６４が弾性復帰して、外部接続バスバー８０は、第１抜け止め突部６２および第１抜け止め片６４により上下方向の移動が規制され抜け止めされる。
【０１１３】
第１保持ユニット３１Ａの第２保持部８３の上方から、バスバー２１を第２保持部８３内に挿入すると、バスバー２１が、第２保持部８３内に突設された第２抜け止め突部８５に形成されている弾性片８５Ｂ、右後壁８４１に形成された第２抜け止め片８７、および左後壁８４２に形成された第２抜け止め片８７に当接し、弾性片８５Ｂは第２抜け止め突部８５内にたわみ変形し、各第２抜け止め片８７は第２保持部８３の外側方向にたわみ変形する。さらにバスバー２１を挿入して底壁８４Ｅに載置すると、弾性片８５Ｂおよび２つの第２抜け止め片８７が弾性復帰して、バスバー２１は、第２抜け止め突部８５および２つの第２抜け止め片８７により上下方向の移動が規制され抜け止めされる。
【０１１４】
次に、隣り合う保持ユニット３１同士を連結する。各保持ユニット３１の蓋部（第１蓋部４１、第２蓋部５５、第３蓋部８９、右蓋部６９、左蓋部６６）を開いた状態で、保持ユニット３１の連結係合爪４８，９４の形成された一対の弾性片４８Ａ，９４Ａを、隣り合う保持ユニット３１の連結係合凹部４９，７５に挿入すると、一対の弾性片４８Ａ，９４Ａが近づく方向に弾性変形しながら挿入され、連結係合凹部４９，７５内の所定位置まで挿入されると弾性片４８Ａ，９４Ａが弾性復帰することで係合され、保持部３２，６０，８３および電線収容部５０，７６，９５がそれぞれ連結される。
【０１１５】
端部では、第２保持ユニット３１Ｂの保持部３２と第１保持ユニット３１Ａの第１保持部６０、および、第２保持ユニット３１Ｂの保持部３２と第１保持ユニット３１Ａの第２保持部８３が連結される。また端部では、第２保持ユニット３１Ｂの電線収容部５０と第１保持ユニット３１Ａの第１電線収容部７６および第２保持ユニット３１Ｂの電線収容部５０と第１保持ユニット３１Ａの第２電線収容部９５が連結される。
【０１１６】
さらに、隣り合う保持ユニット３１の蓋部連結被係合部４４，６８の係合片挿通部４４Ａ，６８Ａに蓋部連結係合片４３，９１を挿通させたのち、連結係合突部４３Ａを連結係合孔４４Ｂ，６８Ｂに係合させる。すると、互いに隣り合う第１蓋部４１同士、隣り合う第１蓋部と第３蓋部８９、および隣り合う第１蓋部と左蓋部６６が連結される。
【０１１７】
バスバー２１を保持させた第２保持ユニット３１Ｂを、複数個連結することにより、隣り合う位置に配されるバスバー２１の間には、保持ユニット３１の絶縁壁３３Ｃが配されるので、保持部３２に開放端３４が設けられていたとしても、バスバー２１同士が接触することはない。
【０１１８】
また、第２保持ユニット３１Ｂと第１保持ユニット３１Ａとを連結することにより、図１に示す奥側において隣り合うバスバー２１と外部接続バスバー８０との間には第２保持ユニット３１Ｂの絶縁壁３３Ｃが配されるので、バスバー２１と外部接続バスバー８０が接触することはない。
【０１１９】
さらに、第２保持ユニット３１Ｂと第１保持ユニット３１Ａとを連結することにより、図１に示す手前側において隣り合うバスバー２１間には第１保持ユニット３１Ａの左側壁８４Ｃが配されるので、バスバー２１同士が接触することはない。
【０１２０】
次に、電圧検知端子２５を、保持部３２に収容されたバスバー２１の上へと嵌め込むとともに、導出溝４５から電圧検知端子２５に圧着された検知電線Ｗを電線収容部５０（電線収容溝５１）へと導出することにより、電圧検知端子２５を取り付ける。
【０１２１】
同様に、電圧検知端子２５を、第１保持部６０に収容された外部接続バスバー８０の上および第２保持部８３に収容されたバスバー２１の上にそれぞれ嵌め込むとともに、各導出溝（第１導出溝７２および第２導出溝９２）から電圧検知端子２５に圧着された検知電線Ｗを第１電線収容部７６および第２電線収容部９５（電線収容溝５１）へと導出することにより、電圧検知端子２５を取り付ける。
【０１２２】
電圧検知端子２５を保持部３２に取り付ける際には、まず、電圧検知端子２５の第２突片２８Ｂを端子係止片３７の下方に差し込むと、電圧検知端子２５の第２突片２８Ｂが、端子係止片３７の係止突部３８により、上方およびバスバー２１の挿入方向における前後方向への移動を規制され位置決めされる。
【０１２３】
さらに、電圧検知端子２５のバレル部２５Ｂ側の端縁を、保持部３２に対して上方から押し込んでいく。すると、電圧検知端子２５と弾性係合片３９Ａの端子係止爪３９Ｃが当接して、端子係止爪３９Ｃが壁部３３の外側方向に撓み変形する。さらに電圧検知端子２５を下方に押し込んで、電圧検知端子２５が端子係止爪３９Ｃの下端部よりも下側に配されると、端子係止爪３９Ｃが弾性復帰して電圧検知端子２５の上に張り出すことで、電圧検知端子２５の上下方向への移動が規制される。
【０１２４】
電圧検知端子２５を第１保持部６０に取り付ける際には、まず、電圧検知端子２５の第２突片２８Ｂを端子係止部６３に差し込むと、電圧検知端子２５の第２突片２８Ｂが、端子係止部６３により、上方およびバスバー２１の挿入方向における前後方向への移動を規制され位置決めされる。さらに、電圧検知端子２５のバレル部２５Ｂ側の端縁を、第１保持部６０に対して上方から押し込んでいく。すると、電圧検知端子２５と第１抜け止め片６４とが当接して、第１抜け止め片６４が第１保持部６０の外側方向に撓み変形する。さらに電圧検知端子２５を下方に押し込んで、電圧検知端子２５が第１抜け止め片６４の下端部よりも下側に配されると、第１抜け止め片６４が弾性復帰して電圧検知端子２５の上に張り出すことで、電圧検知端子２５の上下方向への移動が規制される。
【０１２５】
電圧検知端子２５を第２保持部８３に取り付ける際には、まず、電圧検知端子２５の第２突片２８Ｂを端子係止部８６に差し込むと、電圧検知端子２５の第２突片２８Ｂが、端子係止部８６により、上方およびバスバー２１の挿入方向における前後方向への移動を規制され位置決めされる。さらに、電圧検知端子２５のバレル部２５Ｂ側の端縁を、第２保持部８３に対して上方から押し込んでいく。すると、電圧検知端子２５と左後壁８４２の第２抜け止め片８７とが当接して、第２抜け止め片８７が第２保持部８３の外側方向に撓み変形する。さらに電圧検知端子２５を下方に押し込んで、電圧検知端子２５が第２抜け止め片８７の下端部よりも下側に配されると、第２抜け止め片８７が弾性復帰して電圧検知端子２５の上に張り出すことで、電圧検知端子２５の上下方向への移動が規制される。すべての電圧検知端子２５の取付作業が終了したら電池配線モジュール２０が完成する。
【０１２６】
次に電池配線モジュール２０を単電池群１０に組み付ける。隣り合う単電池１１の隣り合う電極端子１２が異なった極性となるように並べて単電池群１０を作製しておき、単電池群１０に電池配線モジュール２０を組み付ける。具体的には、各バスバー２１の貫通孔２３、外部接続バスバー８０の貫通孔８１Ａ及びこの貫通孔２３，８１Ａと重なり合う電圧検知端子２５の挿通孔２７に、単電池１１の電極端子１２（電極ポスト１３Ｂ）を挿通させる。外部接続バスバー８０の外部端子接続孔８０Ｂには外部接続端子８２を挿通させる。
【０１２７】
このとき、第２保持ユニット３１Ｂにおいては、バスバー２１が、単電池１１の並び方向に沿って挿入され、かつ、抜け止め部３５により保持部３２に対して上下方向に移動を規制された状態で保持されているので、電池配線モジュール２０と単電池１１の電極ポスト１３Ｂや上面１１Ａ（端子形成面）が衝突したとしても、バスバー２１が突きあげられにくくなっており、円滑に作業を進めることができる。
【０１２８】
貫通孔２３、又は貫通孔２３及び挿通孔２７を電極ポスト１３Ｂに挿通させてバスバー２１を電極端子１２の台座に接触させるように配して、各電極ポスト１３Ｂに図示しないネジ部材を螺合して固定する。このとき、各保持ユニット３１の壁部３３の高さは、電極ポスト１３Ｂよりも高く形成されているので、電極ポスト１３Ｂにネジ部材を螺合させる作業に用いる工具が落下、接触したとしても短絡が発生することはない。
【０１２９】
上記の作業を繰り返して、電極ポスト１３Ｂにネジ部材を固定し終わったら、単電池群１０は電気的に接続可能となる。次に、電池配線モジュール２０の第２蓋部５５および第１蓋部４１を、この順に閉じるとともに、第３蓋部８９、左蓋部６６および右蓋部６９を閉じると電池モジュールＭが完成する。
（本実施形態の作用、効果）
以下、本実施形態の作用および効果について説明する。
【０１３０】
本実施形態においては、第２保持ユニット３１Ｂのバスバー挿入部３４（開放端３４）からバスバー２１が露出していたとしても、開放端３４側の端部には、バスバー２１の全周縁を包囲する包囲壁８４が設けられた第２保持部８３を有する第１保持ユニット３１Ａが配置される。したがって、本実施形態によれば、保持ユニット３１（３１Ａ，３１Ｂ）からバスバー２１が露出しないので、バスバー２１と単電池１１周辺に配される部材との接触による短絡を防止することができる。
【０１３１】
また、本実施形態によれば、端部に配される第１保持ユニット３１Ａ以外は、バスバー２１を単電池１１の並び方向（横方向）に沿って挿入するバスバー挿入部３４が設けられた保持部３２を有する第２保持ユニット３１Ｂであるから、バスバー２１が単電池１１の上面１１Ａ（電極端子形成面）や電極端子１２に衝突することにより生じるバスバー２１の脱落が起こりにくいので、単電池群１０への組み付け作業の効率が向上する。
【０１３２】
また、本実施形態によれば、バスバー２１は、第１保持ユニット３１Ａの第２保持部８３に挿入可能で、かつ、第２保持ユニット３１Ｂのバスバー挿入部３４から挿入可能であるから、２種の保持ユニット３１Ａ，３１Ｂにおいて同じ形状のバスバー２１を用いることができ、歩留まりがよい。
【０１３３】
また、本実施形態において、第１保持ユニット３１Ａの第２保持部８３の包囲壁８４には、第２保持部８３に対してバスバー２１を抜け止めする第２抜け止め片８７が設けられ、第２保持部８３の外側には、第２抜け止め片８７と対応して、バスバー２１の絶縁状態を保持する絶縁保持部として機能する前側溝壁部９６Ｂが形成されている。その結果、本実施形態によれば、バスバー２１を抜け止めする第２抜け止め片８７を設けるために包囲壁８４にスリット８７Ａ等を形成したとしても、バスバー２１の絶縁状態が保持されるので、抜け止めを図りつつ、バスバー２１と単電池１１周辺に配される部材との接触による短絡を防止することができる。
【０１３４】
また、本実施形態においては、第１保持ユニット３１Ａの第２保持部８３には、バスバー２１とともに、電圧検知端子２５が収容可能とされ、第１保持ユニット３１Ａの包囲壁８４の内壁側には、電圧検知端子２５を係止することによりバスバー２１を抜け止めする端子係止部８６が突設されている。その結果、本実施形態によれば、電圧検知端子２５を第１保持ユニット３１Ａの包囲壁８４に形成した端子係止部８６に係止することでバスバー２１が第１保持ユニット３１Ａに対して抜け止めされるので、一部材に二つの機能を備えることができる。加えて、本実施形態によれば、端子係止部８６は包囲壁８４の内壁側に突設されており、包囲壁８４からバスバー２１および電圧検知端子２５が露出しないので、絶縁性も保持される。
【０１３５】
＜他の実施形態＞
本発明は上記記述及び図面によって説明した実施形態に限定されるものではなく、例えば次のような実施形態も本発明の技術的範囲に含まれる。
（１）上記実施形態では、第１保持ユニット３１Ａの第２保持部８３に接続するバスバー２１と、第２保持ユニット３１Ｂの保持部に接続するバスバー２１を同じ形状としたが、２つのバスバーは相違する形状のものであってもよい。
（２）上記実施形態では第２電線収容部９５の前側溝壁部９６Ｂが第１保持ユニット３１Ａの包囲壁８４の第２抜け止め片８７と対応して形成された絶縁保持部として機能する例を示したが、電線収容部とは別の絶縁板を第２抜けとめ片に対応して配置してもよい。
（３）上記実施形態では、包囲壁８４の内壁側に突設した端子係止部８６を示したが、包囲壁の一部を貫通しない程度にくりぬく等により端子係止部を形成してもよい。また、第１保持ユニットは端子係止部のない保持部を備えるものであってもよい。
【符号の説明】
【０１３６】
Ｍ…電池モジュール
１０…単電池群
１１…単電池
１１Ａ…上面（端子形成面）
１２…電極端子
１２Ａ…正極端子
１２Ｂ…負極端子
２０…電池配線モジュール
２１…バスバー（接続部材）
２３…貫通孔
２５…電圧検知端子
２７…挿通孔
２８Ｂ…第２突片
Ｗ…検知電線
３１…保持ユニット
３１Ａ…第１保持ユニット
３１Ｂ…第２保持ユニット
３２…保持部  
３３…壁部
３３Ｃ…右側壁
３４…開放端（接続部材挿入部）
３５…抜け止め部
３７…端子係止片
３８…係止突部
３９Ａ…弾性係合片
６０…第１保持部
８０…外部接続バスバー
８３…第２保持部
８４…包囲壁
８４Ａ…前壁
８４Ｂ…後壁
８４１…右後壁
８４２…左後壁
８４Ｃ…左側壁
８４Ｄ…右側壁
８６…端子係止部
８７…抜け止め片
８７Ａ…スリット
９５…第２電線収容部
９６…溝壁部
９６Ａ…後側溝壁部
９６Ｂ…前側溝壁部（絶縁保持部）
【図１】
0005772525.tif 000002
【図２】
0005772525.tif 000003
【図３】
0005772525.tif 000004
【図４】
0005772525.tif 000005
【図５】
0005772525.tif 000006
【図６】
0005772525.tif 000007
【図７】
0005772525.tif 000008
【図８】
0005772525.tif 000009
【図９】
0005772525.tif 000010
【図１０】
0005772525.tif 000011